(57)【特許請求の範囲】
【請求項１】
脚部と、座部と、背もたれ部とを備えて形成され、座部が、水平状態と上方へ回動して折り畳まれる状態との間で回動可能に脚部に取り付けられた浴室用椅子であって、水平に回動した座部を脚部に係合させて水平状態に保持するロック装置を備え、ロック装置によるこの係合を解除する操作を行なう解除操作具を背もたれ部に設け、解除操作具は、手を引掛けるためのレバー片を有し、レバー片には上下に開口し指が差込まれる貫通孔が設けられ、背もたれ部と解除操作具を片手で掴むことによりロック装置による係合を解除することを特徴とする浴室用椅子。
【請求項２】
座部に設けたロック装置と背もたれ部に設けた解除操作具の間に、解除操作具の操作をロック装置に遠隔伝達するレリースワイヤを備えて成ることを特徴とする請求項１に記載の浴室用椅子。
【請求項３】
座部を上方へ回動させる方向に回動付勢するバネを備えて成ることを特徴とする請求項１又は２に記載の浴室用椅子。
【請求項４】
脚部を、前脚と後脚を回動連結して折り畳み開閉可能に形成し、前脚と後脚が折り畳まれる方向への回動と、座部の上方への回動を連動させ、且つ前脚と後脚が開かれる方向への回動と、座部の下方への回動を連動させる連結具を、脚部と座部との間に備えてなることを特徴とする請求項１乃至３のいずれか１項に記載の浴室用椅子。
【請求項５】
前脚の後脚と回動可能に連結した枢支部よりも上部を背方且つ上方へ延長して背もたれ支柱として形成すると共に背もたれ支柱に背もたれ部を設け、背もたれ部の上端に背面側へ張り出す張り出し部を形成して成ることを特徴とする請求項４に記載の浴室用椅子。
【請求項６】
上記解除操作具を、上方へ回動させることによって係合を外すように形成し、上記張り出し部と解除操作具を片手で同時に掴める位置において、解除操作具を背もたれ部の背面に配置して成ることを特徴とする請求項５に記載の浴室用椅子。
【請求項７】
前記張り出し部を下方へ押えることにより開くことができ、前記解除操作具を操作することにより折り畳むことができることを特徴とする請求項５又は６に記載の浴室用椅子。
【発明の詳細な説明】
【技術分野】
【０００１】
本発明は、浴室において使用される椅子に関するものである。
【背景技術】
【０００２】
病人、老人、身体障害者などは、入浴に際して、背もたれのある椅子に腰掛けて、体を洗うのが好都合である。そしてこのような椅子は、人が腰掛ける座部と、人がもたれる背もたれ部と、これらの座部と背もたれ部を支える脚部を備えて形成されているが、嵩張るので、狭い浴室で使用する際には、不使用時に折り畳んでコンパクトにできることが望ましい。
【０００３】
このため、脚部を折り畳むことができるようにする他に、座部を上方へ回動自在にして、脚部を折り畳む際に座部を回動させて折り畳むことができるようにし、椅子をよりコンパクト化できるようにすることが行なわれている（例えば特許文献１等参照）。
【０００４】
このように座部を折り畳み回動できるようにした浴室用椅子において、座部を水平に倒して腰掛けることができるようにした状態に保持し、安定して座部の上に座ることができるようにするために、座部をこの水平状態に保持するロック装置を備えたものが提案されている（特許文献２参照）。
【０００５】
特許文献２に係る椅子は、図１３に示すように、脚部１を前脚８と後脚９とを回動自在に連結して形成すると共に、前脚８を延長して形成した背もたれ支柱１１に背もたれ部３を設け、座部２を脚部１に上下回動自在に取り付けることによって形成してある。そして図１３（ａ）に示すように、座部２の後端縁に凹所２０を形成し、この凹所２０内にロック装置２１が設けてある。ロック装置２１は、軸２２で枢支されたハンドル２３を備えて形成されるものであり、ハンドル２３の下部に係合爪２４を設けると共にハンドル２３の後端部に解除操作具２５を設け、バネ２６によってハンドル２３を下方へ回動付勢するようにしてある。
【０００６】
脚部１にはロックバー２７が設けてあり、座部２を回動して水平状態にしたときに、図１３（ａ）のようにハンドル２３の係合爪２４がロックバー２７に係合し、座部２がこの水平状態に保たれるようになっている。従って、座部２の前端部に腰かけるなどしても、不用意に座部２が上方へ回動するようなことなく、安定して座部２に座ることができるものである。
【０００７】
そして椅子を折り畳む際には、ハンドル２３の後端部の解除操作具２５を上方へ引き上げることによって、バネ２６に抗してハンドル２３を上方へ回動させ、ロックバー２７に対する係合爪２４の係合を解除することができる。このようにロック装置２１による係合を解除することによって、座部２を上方へ回動させることができ、図１３（ｂ）のように椅子を折り畳むことができるものである。
【先行技術文献】
【特許文献】
【０００８】
【特許文献１】特開２００７−０３７６０８号公報
【特許文献２】特開２００８−２５９８０７号公報
【発明の概要】
【発明が解決しようとする課題】
【０００９】
上記のように特許文献２の椅子にあって、ロック装置２１による係合を外すためにハンドル２３を回動させる操作は、ハンドル２３の解除操作具２５を引き上げることによって行なわれる。この解除操作具２５の操作は、背もたれ部３の下側において、座部２の後端部にまで手を差し入れて行なう必要がある（図１３（ａ）の矢印参照）。
【００１０】
しかし、座部２は椅子の低い位置にあり、しかも座部２の後端部にまで手を差し入れるためには、深くかがみ込んだ姿勢で動作を行なう必要があり、解除操作具２５を操作してロック装置２１による係合を外す操作を容易に行なうことができない、という問題があった。
【００１１】
本発明は上記の点に鑑みてなされたものであり、かがみ込んだりする必要なく楽な姿勢で解除操作具を操作することができ、ロック装置による座部の係合を外す操作を容易に行なうことができる浴室用椅子を提供することを目的とするものである。
【課題を解決するための手段】
【００１２】
本発明に係る浴室用椅子は、脚部１と、座部２と、背もたれ部３とを備えて形成され、座部２が、水平状態と上方へ回動して折り畳まれる状態との間で回動可能に脚部１に取り付けられた浴室用椅子であって、水平に回動した座部２を脚部１に係合させて水平状態に保持するロック装置４を備え、ロック装置４によるこの係合を解除する操作を行なう解除操作具５を背もたれ部３に設け、解除操作具５は、手を引掛けるためのレバー片６６を有し、レバー片６６には上下に開口し指が差込まれる貫通孔１４が設けられ、背もたれ部３と解除操作具５を片手で掴むことによりロック装置４による係合を解除することを特徴とするものである。
【００１３】
この発明によれば、ロック装置４による座部２の係合を外す操作は、背もたれ部３に設けた解除操作具５によって行なうことができるものであり、椅子の高い位置にある背もたれ部３に設けた解除操作具５は、かがみ込んだりするような必要なく、立った楽な姿勢のままで操作することができるものであって、係合を外す操作が容易になるものである。また、貫通孔１４に差し入れる指の長さを調整することによって、手のひらの大きさに関係なく、張り出し部１３と解除操作具５を片手で容易に掴むことができるものである。
【００１４】
また本発明は、座部２に設けたロック装置４と背もたれ部３に設けた解除操作具５の間に、解除操作具５の操作をロック装置４に遠隔伝達するレリースワイヤ６を備えて成ることを特徴とするものである。
【００１５】
この発明によれば、座部２のロック装置４に対して背もたれ部３の解除操作具５が離れた位置にあっても、レリースワイヤ６を介して、解除操作具５でロック装置４を遠隔操作することができるものである。
【００１６】
また本発明は、座部２を上方へ回動させる方向に回動付勢するバネ７を備えて成ることを特徴とするものである。
【００１７】
この発明によれば、ロック装置４による座部２の係合を外すと、バネ７によって自動的に座部２は上方へ回動することになり、片手操作で座部２の折り畳みを行なうことが可能になるものである。
【００１８】
また本発明は、脚部１を、前脚８と後脚９を回動連結して折り畳み開閉可能に形成し、前脚８と後脚９が折り畳まれる方向への回動と、座部２の上方への回動を連動させ、且つ前脚８と後脚９が開かれる方向への回動と、座部２の下方への回動を連動させる連結具１０を、脚部１と座部２との間に備えてなることを特徴とするものである。
【００１９】
この発明によれば、座部２を上方へ回動させて折り畳む際に、これと連動して脚部１も折り畳むことができると共に、座部２を下方へ回動させて座ることができるようにする際に、これと連動して脚部１も開くことができるものであり、座部２と脚部１の開閉を一つの動作で同時に行なうことができるものである。特に、上記のようにバネ７で座部２を上方へ回動付勢しているときには、ロック装置４による座部２の係合を外してバネ７で自動的に座部２を上方へ回動させる際に同時に脚部１も折り畳まれるものであり、片手操作で椅子の折り畳みを行なうことが可能になるものである。
【００２０】
また本発明は、前脚８の後脚９と回動可能に連結した枢支部１２よりも上部を背方且つ上方へ延長して背もたれ支柱１１として形成すると共に背もたれ支柱１１に背もたれ部３を設け、背もたれ部３の上端に背面側へ張り出す張り出し部１３を形成して成ることを特徴とするものである。
【００２１】
この発明によれば、脚部１を折り畳んだ状態から開くにあたって、前脚８を床から浮かすと共に後脚９を床に接地させた状態で、背もたれ部３の上端の張り出し部１３を下方へ押え付けると、背もたれ支柱１１が枢支部１２を支点として下方へ回動されると同時に前脚８が上方へ回動され、前脚８を後脚９から離れる方向に回動させて開くことができ、片手で張り出し部１３を押え付けるだけの操作で、脚部１を容易に開くことができるものである。特に、上記のように脚部１の開閉と座部２の回動を連動させるようにしているときには、片手で張り出し部１３を押え付けて脚部１を開く際に、同時に座部２を水平状態に回動させることができ、座部２に座れるように椅子を開く操作を、片手操作で行なうことが可能になるものである。
【００２２】
また本発明は、上記解除操作具５を、上方へ回動させることによって係合を外すように形成し、上記張り出し部１３と解除操作具５を片手で同時に掴める位置において、解除操作具５を背もたれ部３の背面に配置して成ることを特徴とするものである。
【００２３】
この発明によれば、背もたれ部３の上端の張り出し部１３と解除操作具５を片手で掴んで握ることによって、解除操作具５を引き上げ回動させて、ロック装置４による座部２の係合を外すことができるものであり、片手で背もたれ部３の上端部を支えながら、同時にこの片手で係合解除の操作を行なうことができるものである。
【００２５】
また本発明は、前記張り出し部１３を下方へ押えることにより開くことができ、前記解除操作具５を操作することにより折り畳むことができることを特徴とする。
【発明の効果】
【００２６】
本発明によれば、ロック装置４による座部２の係合を外す操作は、背もたれ部３に設けた解除操作具５によって行なうことができるものであり、椅子の高い位置にある背もたれ部３に設けた解除操作具５は、かがみ込んだりするような必要なく、立った楽な姿勢のままで操作することができるものであり、係合を外す操作が容易になるものである。
【図面の簡単な説明】
【００２７】
【図１】本発明の実施の形態の一例を示す斜視図である。
【図２】本発明の実施の形態の一例を示すものであり、図３（ｂ）のイ−イ線断面図である。
【図３】本発明の実施の形態の一例を示すものであり、（ａ）は正面図、（ｂ）は背面図である。
【図４】本発明の実施の形態の一例を示すものであり、（ａ）は図３（ａ）のロ−ロ線断面図、（ｂ）は図４（ａ）のハ部の拡大図、（ｃ）は図４（ａ）のハ部の拡大斜視図である。
【図５】本発明の実施の形態の一例を示すものであり、座部の斜視図である。
【図６】本発明の実施の形態の一例を示すものであり、（ａ）は座部の底面図、（ｂ）は座部の側面図である。
【図７】本発明の実施の形態の一例を示すものであり、背もたれ部の斜視図である。
【図８】本発明の実施の形態の一例を示すものであり、（ａ）は背もたれ部の背面図、（ｂ）は背もたれ部の平面図、（ｃ）は背もたれ部の側面図である。
【図９】本発明の実施の形態の一例を示すものであり、（ａ）は座部の断面図、（ｂ）は背もたれ部の断面図である。
【図１０】本発明の実施の形態の一例を示すものであり、折り畳んだ状態の正面図である。
【図１１】本発明の実施の形態の一例を示すものであり、（ａ）乃至（ｃ）はロック装置のロック具の係合・解除の動作を示す概略図である。
【図１２】本発明の実施の形態の一例を示すものであり、浴室用椅子を開く操作を示す正面図である。
【図１３】従来例を示すものであり、（ａ），（ｂ）はそれぞれ側面図である。
【発明を実施するための形態】
【００２８】
以下、本発明の実施の形態を説明する。
【００２９】
浴室用椅子の脚部１は、図１に示すように、前側の一対の前脚８と後側の一対の後脚９から構成されるものであり、これらの前脚８や後脚９はそれぞれ中空のパイプで形成してある。前脚８はその上部が後方へ向けて水平に延出された水平部３０となっており、水平部３０の後端部からさらに上方へ一体に延長して背もたれ支柱１１が延設してある。そして一対の前脚８の各背もたれ支柱１１の上端同士は背もたれ取付部３１で一体に接続してある。従って一対の前脚８は一本のパイプを折り曲げ加工して形成して一体に作製することができるものである。また一対の各後脚９の上部は前方へ向けて延出された水平部３２として形成してある。
【００３０】
上記の各前脚８の水平部３０には前ヒンジ３３が取り付けてあり、各後脚９の水平部３２には後ヒンジ３４が取り付けてある。そして前脚８の各前ヒンジ３３の下側に各後脚９の後ヒンジ３４を配置し、前ヒンジ３３と後ヒンジ３４を軸ピンからなる枢支部１２で上下回動自在に枢着することによって、前脚８と後脚９を回動自在に連結した脚部１を形成することができるものである。前脚８と後脚９は「ハ」の字形に開く状態と、前脚８と後脚９の下端部同士が近接する状態との間で、折り畳み開閉自在に回動することができるものである。
【００３１】
ここで、各前脚８や各後脚９の下部の外周には、パイプ状の前伸縮脚部４１や、後伸縮脚部４２が上下にスライド自在に取り付けてあり、前脚８や後脚９の長さ調整（高さ調整）が行なえるようにしてある。すなわち、前伸縮脚部４１や後伸縮脚部４２には上下一定間隔で多数の位置決め孔４３が穿設してあり、また前脚８や後脚９にはバネ４６で付勢される位置決めピン４４が設けてあり、位置決めピン４４を任意の位置決め孔４３に嵌合させることによって、前伸縮脚部４１や後伸縮脚部４２を任意の長さに伸縮させた状態で固定するようにしてある（図１０参照）。また前伸縮脚部４１や後伸縮脚部４２の下端には浴室の床を傷つけたり、滑ったりすることを防ぐための脚ゴム４５が装着してある。尚、前脚８と後脚９を枢着する上記の枢支部１２は、前脚８と後脚９の下端の脚ゴム４５を結ぶ線を底辺とする二等辺三角形の頂点に位置するように設定されている。
【００３２】
また、一対の前脚８の上端部間には係合杆３７が取り付けてあり、この一対の前脚８の水平部３０の間には枢支杆３９が取り付けてある。さらに一対の後脚９の上端部間には連結杆３８が取り付けてあり、各後脚９を連結杆３８を介して一体化してある。これらの係合杆３７、連結杆３８、枢支杆３９は脚部１を補強する機能を有している。
【００３３】
座部２は図２に示すように、硬質合成樹脂製の座本体４７の上面に軟質発泡樹脂製の座クッション４８を取り付けて形成されるものであり、座本体４７の下面の後部寄り位置に、枢支筒部４９が突設してある。この枢支筒部４９に左右に貫通して設けた孔４９ａに、上記の枢支杆３９を挿通することによって、脚部１に座部２を取り付けてある。座部２はこの枢支杆３９を回動中心として上下に回動されるものであり、座部２の下面に幅方向に亘って設けた凸条部４０が係合杆３７の上に載置される水平位置と、座部２の前端部が上方を向いて立ち上がる位置の間で、回動されるようになっている。また座部２の後端部の両側には軸ピン５０で連結具１０の一端部が上下方向に回動自在に枢着してあり、この一対の各連結具１０の他端部は上記の連結杆３８に上下方向に回動自在に連結してある。このように座部２の後端部は脚部１の後脚９に連結具１０で連結されているものである。
【００３４】
背もたれ部３は図２に示すように、硬質合成樹脂製の背もたれ本体５２の前面側に軟質発泡樹脂製の背もたれクッション５３を取り付けて形成されるものである。そして脚部１の上部の背もたれ支柱１１の背もたれ取付部３１の前面側に背もたれ部３を配置し、背もたれ本体５２に取付具５４をビス止めして、背もたれ本体５２と取付具５４の間に背もたれ取付部３１を挟着することによって、背もたれ支柱１１の上端部に背もたれ部３を取り付けるようにしてある。８４は、椅子を持ち運びする際に手を差し入れることができるように背もたれ部３に設けた把持孔である。
【００３５】
本発明において上記の座部２の下面には図５及び図６に示すように、ロック装置４が取り付けてある。ロック装置４は図２及び図９（ａ）に示すように、ロック具５７と、ロック具５７を覆うケーシング５８を備えて形成されるものである。ロック具５７は前部の上端両側に枢支軸５９を、後部の下端にワイヤ連結部６０を、枢支軸５９とワイヤ連結部６０の間の位置において下面に係合用凹部６１を設けて形成されるものであり、図９（ａ）のように枢支軸５９を座部２の下面に突設した枢支受け部６２の軸穴に枢着することによって、上下方向へ回動自在に取り付けてある。ケーシング５８は上面と前面が開口する箱状に形成してあり、ケーシング５８の前面開口からロック具５７の係合用凹部６１を露出させた状態で、ロック具５７を下側から覆って座部２の下面にボルト止めで取り付けてある。ロック具５７の上面にバネ６３が取着してあって、ロック具５７を下方へ回動させる方向にバネ６３で付勢してあり、ロック具５７の下面がケーシング５８の上面に当接することによって、ロック具５７はこれより下方へ回動しないようになっている。
【００３６】
また本発明において上記の背もたれ部３の背面には図７及び図８に示すように、解除操作具５が取り付けてある。解除操作具５は図２及び図９（ｂ）に示すように、軸穴６４を設けた枢支部６５にレバー片６６を延設すると共にレバー片６６の基部にストッパー片６７を下方へ突設して形成されるものであり、レバー片６６には上下に開口する貫通孔１４が形成してある。この解除操作具５は、上記の取付具５４に取着したピン６８を軸穴６４に差し込むことによって、取付具５４を介して背もたれ部３の背面に取り付けられるものである。解除操作具５は、ストッパー片６７が取付具５４の外面に当接する図２の状態と、レバー片６６が斜め上方へ引き上げられる状態の間で、上下回動自在になっている。
【００３７】
そして上記のロック装置４のロック具５７と、解除操作具５の間には、レリースワイヤ６が取り付けてある。レリースワイヤ６は可撓性のチューブ７０内にワイヤ７１を挿通して形成されるものである。すなわち、このレリースワイヤ６の一端において、チューブ７０から突出するワイヤ７１が図９（ａ）のようにロック具５７のワイヤ連結部６０に連結固定してある。レリースワイヤ６はケーシング５８の後端部のレリース導出開口７２を通してケーシング５８から導出してあり、図５、図６のようにレリースワイヤ６の中途部を座部２の下面に固定し、さらに一方の前脚８のパイプ内にレリースワイヤ６を差し込んである。このレリースワイヤ６を背もたれ支柱１１のパイプ内に通し、レリースワイヤ６の他端を導出して、図９（ｂ）のようにチューブ７０から突出するワイヤ７１が解除操作具５に連結固定してある。
【００３８】
また、脚部１の前脚８と後脚９の間にはバネ７が図４のように取り付けてある。バネ７は、両端の係止用線部７ａ，７ｂとその間のコイル部７ｃとから成るねじりコイルバネとして形成されるものであり、コイル部７ｃを前脚８と後脚９とを枢支連結する軸ピンからなる枢支部１２の外周に嵌めると共に、一方の係止用線部７ａを後脚９の後ヒンジ３４に突設した後バネ受け部７３に巻き付け係止し、他方の係止用線部７ｂを前脚の前ヒンジ３３に張り出して設けた前バネ受け部７４に引掛け係止してある。従って、バネ７の弾性力は、前後のヒンジ３３，３４を介して前脚８と後脚９に、枢支部１２を中心にして前脚８と後脚９を閉じるように近接させる方向に回動させる力として作用するものである。
【００３９】
さらに、背もたれ部３の両側において、各背もたれ支柱１１に肘掛け７６が取り付けてある。肘掛け７６は基部を軸ピン７７で回動自在に枢支してあり、水平状態と、上方へ跳ね上げた状態との間で上下に回動できるようにしてある。この肘掛け７６は必ずしも必要なものではない。
【００４０】
上記のように形成される本発明に係る浴室用椅子にあって、脚部１を開くと共に座部２を水平に回動させた状態で、座部２の上に腰掛けて使用されるものである。このように座部２を水平状態にすると、座部２の下面に設けた凸条部４０が前脚８間に架設した係合杆３７の上に載置されるが、凸条部４０の下面には座部２の幅方向で凹条７９が凹設してあり、この凹条７９に係合杆３７が嵌って、脚部１に対して座部２が位置決めされるようになっている。そして、座部２をこのように水平状態へと下方へ回動させると、まず図１１（ａ）のようにロック装置４のロック具５７が係合杆３７の上に乗る。ロック具５７の下面にはガイド傾斜面８０が形成してあり、座部２がさらに下方へ回動されて係合杆３７に対してこのガイド傾斜面８０が押圧されると、ロック具５７はバネ６３に抗して枢支軸５９を中心に上方へａ矢印のように回動し、次いでバネ６３の弾撥力によってロック具５７は逆に下方へｂ矢印のように回動して、図１１（ｂ）に示すように係合杆３７にロック具５７の係合用凹部６１が係合される。
【００４１】
このように、ロック装置４に設けたロック具５７の係合用凹部６１が脚部１に設けた係合杆３７に係合されることによって、脚部１に対して座部２を係合することができるものであり、座部２を水平状態に固定することができるものである。従って、座部２が不用意に上方へ回動して転倒するなどの事故を未然に防ぐことができるものである。
【００４２】
次に、浴室用椅子を折り畳むにあたっては、まず、係合杆３７に対するロック装置４のロック具５７の係合を解除する。この係合解除は背もたれ部３に設けた解除操作具５を操作することによって行なうことができる。すなわち、図９（ｂ）のα矢印のように解除操作具５のレバー片６６をピン６８を中心にして上方へ回動させると、解除操作具５に接続したレリースワイヤ６のワイヤ７１の一端が引っ張られる。このようにレリースワイヤ６のワイヤ７１が引かれると、ワイヤ７１の他端でロック具５７が図１１（ｃ）のｅ矢印のように引かれ、図１１（ｃ）に示すように、ロック具５７はｃ矢印のようにバネ６３に抗して上方へ回動されることになり、係合杆３７に対する係合凹部６１の係合が解除される。
【００４３】
このように、係合杆３７に対するロック装置４の係合を解除して、脚部１に対する座部２の係合固定を解除するにあたっては、上記のように背もたれ部３に設けた解除操作具５を操作することによって行なうことができるものである。そして解除操作具５はこのように背もたれ部３という椅子の最高所に位置するので、かがみ込んだりするような必要なく、立った楽な姿勢のまま解除操作具５を操作することができるものであり、ロック装置４の係合解除の操作を容易に行なうことができるものである。しかも解除操作具５のレバー片６６を引き上げて上方へ回動させることによって操作を行なうことができるので、立った姿勢のまま腕を下げて指にレバー片６６を引掛けることによって、解除操作具５を回動させる操作を容易に行なうことができるものである。
【００４４】
ここで、解除操作具５の操作を容易に行なうことができるように解除操作具５を背もたれ部３に設けるようにした結果、座部２の下面のロック装置４と解除操作具５の間の距離が大きくなるが、レリースワイヤ６がロック装置４と解除操作具５の間に設けてあるので、レリースワイヤ６という簡便な機構で、ロック装置４を解除操作具５によって遠隔操作することができるものである。
【００４５】
また、背もたれ部３の上端の中央部には後方へ張り出した上面が平坦な張り出し部１３が設けてあり、図９（ｂ）に示すように解除操作具５はこの張り出し部１３の直下の位置に配置してある。また張り出し部１３と解除操作具５を片手で同時に掴めるように、張り出し部１３に近い位置に解除操作具５を配置してある。例えば、張り出し部１３の上面と解除操作具５のレバー片６６の下面の間の距離が６〜９ｃｍ程度になるように設定するのが好ましい。従って、例えば片手の親指を張り出し部１３の上に宛がった状態で、同じ片手の人差し指や中指などを解除操作具５のレバー片６６の下側に引掛け、この片手を握るようにすることによって、解除操作具５を引き上げる操作をすることができるものであり、強い力で、且つ片手だけの操作で、ロック装置４の係合解除を行なうことができるものである。
【００４６】
ここで、レバー片６６には上記のように上下に開口する貫通孔１４が形成してあるので、人差し指や中指などの指先をこの貫通孔１４に下側から差し入れることによって、解除操作具５のレバー片６６を引き上げる操作がより容易になるものである。また貫通孔１４に差し入れる指の長さを調整することによって、手のひらの大きさに関係なく、張り出し部１３と解除操作具５を片手で容易に掴むことができるものである。
【００４７】
上記のように解除操作具５を操作してロック装置４の係合を解除し、脚部１に対する座部２の係合固定状態を解除すると、前脚８と後脚９を閉じる方向に回動付勢するバネ７が上記のように脚部１に設けてあるので、バネ７の力で前脚８と後脚９は枢支部１２を中心にして閉じる方向に自動的に回動する。そしてこのように前脚８と後脚９が閉じる方向へ回動すると、つまり前脚８に対して後脚９が接近する方向に回動すると（図４（ａ）のａ矢印）、後脚９に連結具１０によって連結されている座部２の後端部が下方へ引かれて下方へ回動し（（図４（ａ）のｂ矢印）、座部２の前端部が立ち上がるように上方へ回動されることになり、図１０に示すように、脚部１を折り畳むことができると共に座部２を立ち上げて折り畳むことができ、浴室用椅子の折り畳みを行なうことができるものである。
【００４８】
ここで、上記のようにロック装置４の係合を解除する解除操作具５の操作は片手で行なうことができるものであり、そしてロック装置４の係合を解除するとバネ７の作用で脚部１の折り畳み回動と、座部２の折り畳み回動が自動的に行なわれるので、浴室用椅子の折り畳みを片手だけで行なうことが可能になるものである。
【００４９】
このように浴室用椅子の折り畳みを行なうにあたって、既述のように、前脚８と後脚９を枢着する枢支部１２が、前脚８と後脚９の下端を底辺とする二等辺三角形の頂点に位置するように設定されているので、図１０に示すように、前脚８と後脚９を折り畳んで狭めた状態でも、自立させることができるものであり、壁にもたれ掛けさせたりする必要なく収納することができるものである。
【００５０】
次に、このように折り畳んだ浴室用椅子を使用するために開くにあたっては、図１２に示すように、後脚９の下端の脚ゴム４５を浴室の洗い場など床面８２に接地させた状態で、背方へ若干傾けて前脚８の下端を床面８２から浮かし、この状態で、背もたれ部３の上端の張り出し部１３を下方へ押えることによって行なうことができる。すなわち張り出し部１３の上面をａ矢印のように下方へ押えると、枢支部１２を回動中心として背もたれ支柱１１が下方へ回動されると共に、ｂ矢印のように前脚８が上方へ回動され、前脚８は後脚９から離れる方向に回動して、脚部１が開く。そして座部２は連結具１０を介して後脚９に連結されているので、このように前脚８と後脚９が開くように回動すると、これに連動して座部２がｃ矢印方向へと水平に倒れるように回動し、脚部１と座部２を開いて、浴室用椅子を使用状態に開くことができるものである。
【００５１】
このとき、背もたれ部３の張り出し部１３を片手で掴んで、図１２のように後脚９の下端を床面８２に接地させると共に前脚８の下端を床面８２から浮かせた状態にし、このまま片手で張り出し部１３を下方へ押えることによって、上記のように浴室用椅子を開くことができるものであり、片手だけで、浴室用椅子を開く操作を容易に行なうことができるものである。
【符号の説明】
【００５２】
１  脚部
２  座部
３  背もたれ部
４  ロック装置
５  解除操作具
６  レリースワイヤ
７  バネ
８  前脚
９  後脚
１０  連結具
１１  背もたれ支柱
１２  枢支部
１３  張り出し部
１４  貫通孔
【図１】
0005607908.tif 000002
【図２】
0005607908.tif 000003
【図３】
0005607908.tif 000004
【図４】
0005607908.tif 000005
【図５】
0005607908.tif 000006
【図６】
0005607908.tif 000007
【図７】
0005607908.tif 000008
【図８】
0005607908.tif 000009
【図９】
0005607908.tif 000010
【図１０】
0005607908.tif 000011
【図１１】
0005607908.tif 000012
【図１２】
0005607908.tif 000013
【図１３】
0005607908.tif 000014